(57)【要約】【目的】プラズマテレビ用シャーシの歪を矯正する作業を早く、確実に、効率的に行う歪の矯正方法を提供する。【構成】所定の大きさを有する方形状パネルの四周端部を残して、その内部を絞り加工によって外側に隆起せしめて、内側に方形の凹部を形成し、その凹部内に所要数の補強桟、部品や器具固定用のピン等をかしめ止め等でとりつけた構成を有するシャーシの歪矯正方法において、該シャーシの方形凹部において、周囲四辺の個々の中間位置、または中間位置と中心位置における歪量を測定して実測値とし、次いでその実測値と、予め設定した基準値との差を求めて修正値とし、次いで各測定個所に各修正値の大きさに相当する押圧力を一同に付与して、塑性変形せしめて歪量を所定値内に矯正することを特徴とするプラズマテレビ用シャーシの歪矯正方法。【選択図】    図１
2006110623.tif 000002
【特許請求の範囲】
【請求項１】
所定の大きさを有する方形状パネルの四周端部を残して、その内部を絞り加工によって外側に隆起せしめて、内側に方形の凹部を形成し、その凹部内に所要数の補強桟、部品や器具固定用のピン等をかしめ止め等でとりつけた構成を有するシャーシの歪矯正方法において、該シャーシの方形凹部において、周囲四辺の個々の中間位置、または中間位置と中心位置における歪量を測定して実測値とし、次いでその実測値と、予め設定した基準値との差を求めて修正値とし、次いで各測定個所に各修正値の大きさに相当する押圧力を一同に付与して、塑性変形せしめて歪量を所定値内に矯正することを特徴とするプラズマテレビ用シャーシの歪矯正方法。
【請求項２】
矯正後の個々の測定個所において、歪量が所定値をこえる大きさであれば、再度その個所の修正値を求めてその値の大きさに相当する押圧力を付与することを特徴とする請求項１記載のプラズマテレビ用シャーシの歪矯正方法。
【請求項３】
所定の大きさを有する方形状パネルの四周端部を残して、その内部を絞り加工によって外側に隆起せしめて、内側に方形の凹部を形成し、その凹部内に所要数の補強桟、部品や器具固定用のピン等をかしめ止め等でとりつけた構成を有するシャーシの歪矯正装置において、該装置はシャーシの方形凹部の周囲四辺の個々の中間位置、または中間位置と中心位置における歪量を実測する手段と、その実測値と予め設定した基準値との差を演算して修正値を求める手段と、修正値の大きさに対応して押圧力を一同に付与して、塑性変形せしめて歪を矯正する手段と、矯正後の歪量の値を表示する手段とからなることを特徴とするプラズマテレビ用シャーシの歪矯正装置。
【発明の詳細な説明】
【技術分野】
【０００１】本発明はプラズマテレビ用シャーシに現出する歪の矯正作業を効率的に、しかも早く、確実に行うための方法及び装置に関する。
【背景技術】
【０００２】従来プラズマテレビ用のシャーシは、たとえば所定巾のアルミのコイルあるいは切り板を所定寸法の大きさに切断して方形状のパネルを形成し、これを四周端部を残して、その内部を絞り加工して外側に隆起せしめて、内側に方形の凹部を形成し、その凹部内に補強桟や各種部品や配線器具等を固定するための固定ピンを多数個かしめ加工によって取り付けている。その結果シャーシ全体に歪が生じていた。【０００３】この歪は各種配線器具の取り付けに、あるいはプラズマパネル本体の取り付けに、さらには製品全体の精度向上に対して悪影響を及ぼすことは当然であり、歪の矯正作業が不可欠であった。【０００４】しかしてこの矯正作業は、熟練の作業者が、シャーシの全面ないしは複数箇所に発生する歪の度合いを個々に計測してその個所ごとに塑性変形に至るまでの所望の押圧力を付与して矯正していた。
【発明の開示】
【発明が解決しようとする課題】
【０００５】上記従来の方法では次の問題点があり，その改善が要望されていた。
問題点の一つは，歪の個所をグループにして複数回に分けて押圧力を付与して矯正作業を行うので，作業時間が長くなり，生産効率が悪いこと。【０００６】問題点の二つは、個々に矯正作業を行うために，先に矯正した個所が，後の矯正個所の押圧力が起因して歪に変化が生じ，再度矯正作業を必要とするなど、さらに作業時間が長くなり，生産効率の悪さと矯正精度の安定性が悪いこと。
本発明は上記問題点を解決するために鋭意、工夫を重ねて、次の手段を採用した事を特徴とする。
【課題を解決するための手段】
【０００７】その特徴の一つは「所定の大きさを有する方形状パネルの四周端部を残して、その内部を絞り加工によって外側に隆起せしめて、内側に方形の凹部を形成し、その凹部内に所要数の補強桟、部品や器具固定用のピン等をかしめ止め等でとりつけた構成を有するシャーシの歪矯正方法において、該シャーシの方形凹部において、周囲四辺の個々の中間位置、または中間位置と中心位置における歪量を測定して実測値とし、次いでその実測値と、予め設定した基準値との差を求めて修正値とし、次いで各測定個所に各修正値の大きさに相当する押圧力を一同に付与して、塑性変形せしめて歪量を所定値内に矯正することを特徴とするプラズマテレビ用シャーシの歪矯正方法」である。【０００８】その特徴の二つは「矯正後の個々の測定個所において、歪量が所定値をこえる大きさであれば、再度その個所の修正値を求めてその値の大きさに相当する押圧力を付与することを特徴とするプラズマテレビ用シャーシの歪矯正方法」である。【０００９】その特徴の三つは「所定の大きさを有する方形状パネルの四周端部を残して、その内部を絞り加工によって外側に隆起せしめて、内側に方形の凹部を形成し、その凹部内に所要数の補強桟、部品や器具固定用のピン等をかしめ止め等でとりつけた構成を有するシャーシの歪矯正装置において、該装置はシャーシの方形凹部の周囲四辺の個々の中間位置、または中間位置と中心位置における歪量を実測する手段と、その実測値と予め設定した基準値との差を演算して修正値を求める手段と、修正値の大きさに対応して押圧力を一同に付与して、塑性変形せしめて歪を矯正する手段と、矯正後の歪量の値を表示する手段とからなることを特徴とするプラズマテレビ用シャーシの歪矯正装置」である。
【発明の効果】
【００１０】本発明の歪の矯正方法は，熟練者でなくても作業者が手順に従ってセットするだけで，シャーシ全体の歪を所定の数箇所において一同に測定し，歪の度合つまりそれの修正度合に応じた押圧力を一同に付与して矯正するので，作業の生産性の向上と精度の向上が図れる。
【発明を実施するための最良の形態】
【００１１】本発明の実施例について以下に図面を用いて説明する。
図１は本発明のプラズマテレビ用シャーシの概略を示す平面を図である。
１はシャーシで，方形状パネルの四周端部２を残して，その内部を絞り加工によって外側に隆起せしめて，内側に方形（長方形）の凹部３を形成している。２ａは四周端部に適数個形成した大小の連結用の突起部で，該突起部に他部品と固定するための固定ピン２ｂがかしめて取り付けられている。【００１２】４は所要数（図面では５本）の補強桟、５は凹部３の内側に多数個形成した部品、器具等の固定ピンで、これらはシャーシパネルにかしめ止でとりつけられている。
方形の凹部３の周囲四辺の個々の中間位置と中心位置を示す長円６の個所は、歪量の測定個所である。この個所の内側から外側に向けて歪を矯正する際に押圧力を付与する。勿論上記方向から押圧力を付与するのは内側に膨らむ状態で歪が生じているからである。【００１３】図２はシャーシの歪を矯正する状態の概略の説明図である。７はシャーシ１の四隅を受ける受台である。この受台にシャーシの凹部の角部が上側に向いて載置されている。８は歪測定機で各長円６の略真下に上下動自在に設置される。
９は歪を矯正する押圧機で、上記歪測定機８に対置した状態、つまり各長円６の略真上に上下動自在に設置されている。【００１４】Ｘはシャーシ凹部３の基準面、Ｙは凹部３の歪面を示し、このシャーシは歪が内側に膨らむ状態で現れている。歪量はバラツキはあるが、歪高さで、中心位置で０．７〜１．６ミリメートル、四周端部の中間位置で０．７〜２．０ミリメートルである。
この値を所定値以下の歪高さに矯正するために、実測値と予め設定した基準値との差を演算して求めた修正値に対応した押圧力を付与する。【００１５】図３はシャーシの歪を矯正する手順を示す流れ図である。Ａはシャーシ、Ｂはシャーシの所定の個所における歪量を測定する実測手段である。【００１６】Ｃは歪量の実測値と予め設定した基準値との差を演算して修正値を求める修正手段である。【００１７】Ｄは修正値の大きさ、つまり歪量の大きさに対応して押圧力を一同に付与して塑性変形せしめて歪を矯正する矯正手段である。【００１８】Ｅは矯正後の歪量の値を表示する表示手段である．しかして歪量が所定の範囲内であれば合格品となり、仮に１個所において歪量が所定の範囲外であれば、再度少なくともその個所における修正値を求めて、押圧力を付与して矯正することとなる。
本発明は上記手段を備えるシャーシの歪の矯正装置であり、また上記手順でシャーシの歪を矯正する方法である。【００１９】以上本発明の一実施例について説明したが、本発明の技術思想を逸脱しない範囲の設計変更は可能である。
【図面の簡単な説明】
【００２０】
【図１】本発明のシャーシの概略を示す平面図。
【図２】同じくシャーシの歪を矯正する状態の概略の説明図。
【図３】同じくシャーシの歪を矯正する手順を示す流れ図である。
【符号の説明】
【００２１】１      シャーシ
２      四周端部
２ａ    突起部
２ｂ    固定ピン
３      凹部
４      補強桟
５      固定ピン
６      長円（歪量の測定個所）
７      受台
８      歪測定機
９      押圧機
Ｘ      基準面
Ｙ      歪面
Ａ      シャーシ
Ｂ      実測手段
Ｃ      修正手段
Ｄ      矯正手段
Ｅ      表示手段
【図１】
2006110623.tif 000003
【図２】
2006110623.tif 000004
【図３】
2006110623.tif 000005